(57)【要約】      （修正有）【課題】浴湯表層部に浮遊する髪の毛や垢等の汚れを取り除き，浴湯の浄化を行う家庭の浴槽で装置を浮遊させて使用できる浴湯の浮遊型濾過・浄化装置の提供。【解決手段】表層部の浴湯の取り入れ口１を装置上部に設け、取り入れ口１から取り入れた浴湯が流れ込む所に，細かい目の網やフィルター５等を取り外しができるように設置し、この細かい目の網やフィルター５等で，浴湯上層部に浮遊する髪の毛や垢等の汚れを取り除く。この下の部分に，麦飯石等の浄化材６を置くスペースを設け、この浄化材６のスペースの下に，モーター４により起動するファン８を設置する。これにより，絶えず上層部の浴湯を装置内に取り入れ，浴湯を濾過・浄化した後に再び浴槽内に吐き出すことができる。この装置に浮力材７やおもりを装着させて，浴湯表面に装置を浮遊させる。【選択図】図２
2009082675.tif 000002
【特許請求の範囲】
【請求項１】
浴湯の濾過・浄化装置において，装置に浮力材やおもりを装着して，装置自体を浴槽内の浴湯表面に浮遊させる装置で，浴湯表面の浴湯を装置上部より装置内に取り入れ，細かい目の網やフィルター等により浴湯を濾過した後，麦飯石等の浄化材により浴湯を浄化して，装置下部より浴槽内に吐き出すことのできる浴湯の浮遊型濾過・浄化装置。
【請求項２】
前記の浴湯濾過・浄化装置は，浴湯を濾過する細かい目の網やフィルター等の濾過材，及び浴湯を浄化する麦飯石等の浄化材を取り出して洗浄したり，新しい濾過材や浄化材に取り替えたりすることのできることを特徴とする請求項１記載の浴湯の浮遊型濾過・浄化装置。
【発明の詳細な説明】
【技術分野】
【０００１】  本発明は，浴湯の表面に浮遊する装置により，浴湯表面に浮遊する髪の毛や垢等の汚れを取り除くと共に，浴湯の浄化を行うものであって，浴湯の濾過・浄化に関する。
【背景技術】
【０００２】  従来の浴湯を濾過・浄化するための装置は，浴槽からパイプで浴湯を取り出し，固定した大型の装置で浴湯を濾過・浄化した後，浴槽に戻すものである。
【発明の開示】
【発明が解決しようとする課題】
【０００３】  しかしながら，以上の技術によれば，一般家庭の浴槽に浴湯濾過・浄化装置を取り付けようとした場合，大型で高価な装置であった。
そこで，この発明は，安価に製造でき，取り付けのための工事も必要の無い，小型で一般の家庭の浴槽でも，浴湯表面に浮遊させて使用することのできる浴湯の濾過・浄化装置を提供することを課題とする。
【課題を解決するための手段】
【０００４】  以上の課題を解決するために，第一発明は，装置に浮力材やおもりを装着して，装置自体を浴槽内の浴湯表面に浮遊させる装置で，浴湯表面の浴湯を装置上部より装置内に取り入れ，細かい目の網やフィルター等により浴湯を濾過した後，麦飯石等の浄化材により浴湯を浄化して，装置下部より浴槽内に吐き出すことのできる浴湯の浮遊型濾過・浄化装置である。【０００５】  また，第二発明は，浴湯を濾過する細かい目の網やフィルター等の濾過材，及び浴湯を浄化する麦飯石等の浄化材を取り出して洗浄したり，新しい濾過材や浄化材に取り替えたりすることのできることを特徴とする浴湯の浮遊型濾過・浄化装置である。
【発明の効果】
【０００６】  この発明によれば，一般家庭の浴槽で簡易に使用できる浮遊型の小型の装置で，安価に製造でき，取り付けのための工事も必要の無い装置である。この装置は，髪の毛や垢等の汚れが浮遊している表面の浴湯を，装置内に取り入れ，細かい目の網やフィルター等により，浴湯を濾過した後に，麦飯石等の浄化材を通過することにより，浴湯表面に浮遊する髪の毛や垢等の汚れを取り除くとともに，浴湯を浄化することができる。【０００７】  また，汚れを取り除く細かい目の網，フィルターや浄化材は，着脱可能なため，網，フィルターや浄化材を装置から取り出して水洗いをしたり，新しい網，フィルターや浄化材に取り替えたりすることが可能であり，清潔な状態で使用できる構造になっている。【０００８】  この装置を既存の浴槽に浮遊させて使用することにより，浴湯を，より衛生的に保つことができる効果が得られる。
【発明を実施するための最良の形態】
【０００９】  装置の上部に，表層部の浴湯を取り入れる取り入れ口１を設ける。取り入れ口１から取り入れた浴湯が流れ込む所に，細かい目の網やフィルター５を，取り外しのできるように設置する。この細かい目の網やフィルター５で，浴湯上層部に浮遊する髪の毛や垢等の汚れを取り除く。網やフィルター５に付いた汚れは，装置から網やフィルター５を取り外して水洗いをして汚れを取る。汚れの状態により，新しい網やフィルターに取り替えることができる。【００１０】  この網やフィルター５の下部に，麦飯石等の浄化材６を置くスペースを設ける。このスペースに網の袋に入れた麦飯石等の浄化材６を置く。麦飯石等の浄化材６は，網の袋ごと，取り外しのできるようにする。【００１１】  この浄化材６のスペースの下部で，濾過・浄化された浴湯を装置外の浴槽に吐き出すことのできる位置に，モーター４により起動するファン８を設ける。ファン８を起動させる電池３を装置上部に，浴湯が入り込まないように密封したスペースに設置する。【００１２】  これにより，上層部の浴湯を取り入れ，装置内に浴湯を流し，濾過・浄化された浴湯を再び浴槽に戻すことができる。この装置に浮力材７やおもり１４を装着して浴湯表面に装置を浮遊させて，絶えず表面の浴湯を装置に取り入れることができるようにする。
本発明は，以上の構成よりなる浴湯の浮遊型濾過・浄化装置である。
【図面の簡単な説明】
【００１３】
【図１】  本発明の浮遊型浴湯の簡易濾過・浄化装置の斜視図である。
【図２】  同濾過・浄化装置の断面図である。
【図３】  同濾過・浄化装置の使用状態を示す図である。
【図４】  同濾過・浄化装置の使用状態を示す断面図である。
【図５】  同濾過・浄化装置の部品構成の図である。
【図６】  同濾過・浄化装置の正面図である。
【図７】  同濾過・浄化装置の真上から見た図である。
【図８】  同濾過・浄化装置の真下から見た図である。
【図９】  同濾過・浄化装置に浮力材を装着した図である。
【図１０】  同濾過・浄化装置におもりを装着した図である。
【図１１】  同濾過・浄化装置に浮力材とおもりを装着した図である。
【符号の説明】
【００１４】    １    浴湯の取り入れ口
２    スイッチ
３    電池
４    モーター
５    細かい目の網，又はフィルター
６    浄化材
７    浮力材
８    ファン
９    濾過・浄化された浴湯の吐き出し口
１０  濾過・浄化された浴湯の排出部
１１  浴湯の流入防止壁
１２  浴槽
１３  浴湯
１４  おもり
【図１】
2009082675.tif 000003
【図２】
2009082675.tif 000004
【図３】
2009082675.tif 000005
【図４】
2009082675.tif 000006
【図５】
2009082675.tif 000007
【図６】
2009082675.tif 000008
【図７】
2009082675.tif 000009
【図８】
2009082675.tif 000010
【図９】
2009082675.tif 000011
【図１０】
2009082675.tif 000012
【図１１】
2009082675.tif 000013